(57)【要約】【課題】  記録再生用レーザ光として青色波長のレーザ光を用いる場合にも、通常装備している回路構成を適宜切替えることにより、確実にフォーカスサーボの引き込みを行うことができる光ディスク装置を提供する。【解決手段】  青色波長のレーザ光に対応する光ディスクが装着されたときは、青色波長のレーザ光ではなく、赤色あるいは赤外波長のレーザ光を用いてフォーカスサーボの引き込みが行われる。よって、フォーカスサーボ引き込み時に生じるフォーカスエラー信号の振幅を大きくすることができ、フォーカスエラー信号をもとにしたフォーカスサーボの引き込み動作を円滑に行うことができる。また、もともと装備されていた他の波長の照射手段を青色波長ディスクに対するフォーカスサーボ引き込みの用いるのみであるから、他に特別な回路構成が必要となることもなく、構成の簡素化をはかることができる。【選択図】    図２
2006309837.tif 000002
【特許請求の範囲】
【請求項１】
第１の波長のレーザ光とこれより波長の長い第２の波長のレーザ光をそれぞれ対応する光ディスクに照射し得る光ディスク装置において、
前記第１の波長のレーザ光に対応する光ディスクが装着されたとき、前記第２の波長のレーザ光を該光ディスクに照射してフォーカスサーボの引き込みを行い、該レーザ光の収束位置が該ディスクの基板面から離れた位置から該ディスクの記録層面の近傍位置に到達したタイミングにて、該ディスクに照射するレーザ光を前記第２の波長のレーザ光から前記第１の波長のレーザ光に切り替える、
ことを特徴とする光ディスク装置。
【請求項２】
請求項１において、
第１の速度で対物レンズをフォーカスサーボ引き込み方向に駆動する第１の駆動手段と、
前記第１の速度よりも遅い第２の速度で前記対物レンズを前記フォーカスサーボ引き込み方向に駆動する第２の駆動手段と、
前記対物レンズによって収束されるレーザ光の収束位置がディスク基板表面近傍に到達したことをフォーカスエラー信号をもとに検出する第１の検出手段と、
前記対物レンズによって収束されるレーザ光の収束位置が記録層表面近傍に到達したことをフォーカスエラー信号をもとに検出する第２の検出手段と、
前記第１の検出手段によってレーザ光の収束位置がディスク基板表面近傍に到達したことが検出されたことに応じて光ディスクに照射するレーザ光を前記第２の波長のレーザ光から前記第１の波長のレーザ光に切り替えるレーザ設定手段と、
前記第１の駆動手段にて前記対物レンズを前記フォーカスサーボ引き込み方向に駆動した後、前記第１の検出手段によって前記レーザ光の収束位置が前記ディスク基板表面近傍に到達したことが検出されたとき、前記対物レンズを駆動する手段を前記第１の駆動手段から前記第２の駆動手段に切り替える駆動制御手段と、
前記駆動制御手段によって前記対物レンズを駆動する手段が前記第１の駆動手段から前記第２の駆動手段に切り替えられた後、前記第２の検出手段によって前記レーザ光の収束位置が前記記録層表面近傍に到達したことが検出されたとき、フォーカスサーボを作動させるフォーカスサーボ手段と、
を有することを特徴とする光ディスク装置。
【請求項３】
請求項１において、
第１の速度で対物レンズをフォーカスサーボ引き込み方向に駆動する第１の駆動手段と、
前記対物レンズを前記フォーカスサーボ引き込み方向に１ステップずつ駆動する第２の駆動手段と、
前記対物レンズによって収束されるレーザ光の収束位置がディスク基板表面近傍に到達したことをフォーカスエラー信号をもとに検出する検出手段と、
前記対物レンズによって収束されるレーザ光の収束位置が記録層表面近傍に到達したことをフォーカスエラー信号をもとに検出する第２の検出手段と、
前記第１の検出手段によってレーザ光の収束位置がディスク基板表面近傍に到達したことが検出されたことに応じて光ディスクに照射するレーザ光を前記第２の波長のレーザ光から前記第１の波長のレーザ光に切り替えるレーザ設定手段と、
前記第１の駆動手段にて前記対物レンズを前記フォーカスサーボ引き込み方向に駆動した後、前記検出手段によって前記レーザ光の収束位置が前記ディスク基板表面近傍に到達したことが検出されたとき、前記対物レンズを駆動する手段を前記第１の駆動手段から前記第２の駆動手段に切り替える駆動制御手段と、
前記駆動制御手段によって前記対物レンズを駆動する手段が前記第１の駆動手段から前記第２の駆動手段に切り替えられた後、前記第２の検出手段によって前記レーザ光の収束位置が前記記録層表面近傍に到達したことが検出されたとき、フォーカスサーボを作動させるフォーカスサーボ手段と、
を有することを特徴とする光ディスク装置。
【発明の詳細な説明】
【技術分野】
【０００１】
本発明は、光ディスク装置に関し、特に、青色波長のレーザ光を用いる光ディスク装置に用いて好適なものである。
【背景技術】
【０００２】
光ディスク装置におけるフォーカスサーボの引き込みは、通常、対物レンズをディスク面から離れた位置からディスク面方向へと近付けて行き、レーザ光が記録層にオンフォーカスしたタイミングにて、フォーカスサーボを作動させるようにして行われる。ここで、レーザ光が記録層にオンフォーカスしたタイミングは、フォーカスエラー信号のＳカーブを検出することにより検出される。
【０００３】
しかし、青色波長のレーザ光を用いる場合には、光検出器の検出感度が低いため、Ｓカーブの振幅が小さくなり、オンフォーカスタイミングを見落とす恐れがある。このため、対物レンズがオンフォーカス位置を越えてさらにディスク面方向へと移動し、ディスク面に衝突する事態が起こる恐れがある。特に、現在規格中のブルーレイディスクにおいては、その規格上、高開口数の対物レンズが用いられるため、対物レンズの焦点距離がかなり短くなる。このため、オンフォーカス位置における対物レンズとディスク基板表面の間隔は極めて小さくなり、上記のように対物レンズがオンフォーカス位置を越えてディスク面方向へ移動すると、即座に、対物レンズがディスク面へと衝突するとの事態が生じてしまう。
【０００４】
なお、以下の特許文献１には、オンフォーカス近傍範囲内ではサーボゲインの高い第１のフォーカスサーボ系を用い、この範囲よりも外の範囲ではサーボゲインの小さい第２のフォーカスサーボ系を用いることが記載されている。また、フォーカスサーボ引き込み時には、第２のフォーカスサーボ系を用い、対物レンズがオンフォーカス近傍範囲内に達したときに、第１のフォーカスサーボ系に切り替えることが記載されている。そして、その効果として、第２のフォーカスサーボ系はサーボゲインが小さいため、対物レンズが極端に暴走することもオーバーシュートすることもないと説明されている。
【特許文献１】特開平７−６３７２号公報
【発明の開示】
【発明が解決しようとする課題】
【０００５】
しかし、特許文献１に記載の技術においても、レーザ光源として青色波長のレーザ光を用いた場合には、上記と同様、オンフォーカスタイミングの検出を失敗する恐れがある。青色波長に対する光検出器の感度は、赤外波長の４０％以下になるためフォーカスエラー信号のレベルが極端に小さくなる。このため、特許文献１の場合には、フォーカス信号自体を確実に検出するための特別な工夫（回路等）が別途必要になる。
【０００６】
そこで、本発明は、通常装備している回路構成を適宜切替えることにより、確実にフォーカスサーボの引き込みを行うことができる光ディスク装置を提供することを課題とする。
【課題を解決するための手段】
【０００７】
上記課題に鑑み本発明は、それぞれ以下の特徴を有する。
【０００８】
請求項１の発明は、第１の波長のレーザ光とこれより波長の長い第２の波長のレーザ光をそれぞれ対応する光ディスクに照射し得る光ディスク装置において、前記第１の波長のレーザ光に対応する光ディスクが装着されたとき、前記第２の波長のレーザ光を該光ディスクに照射してフォーカスサーボの引き込みを行い、該レーザ光の収束位置が該ディスクの基板面から離れた位置から該ディスクの記録層面の近傍位置に到達したタイミングにて、該ディスクに照射するレーザ光を前記第２の波長のレーザ光から前記第１の波長のレーザ光に切り替えることを特徴とする。
【０００９】
請求項２の発明は、請求項１に記載の光ディスク装置において、第１の速度で対物レンズをフォーカスサーボ引き込み方向に駆動する第１の駆動手段と、前記第１の速度よりも遅い第２の速度で前記対物レンズを前記フォーカスサーボ引き込み方向に駆動する第２の駆動手段と、前記対物レンズによって収束されるレーザ光の収束位置がディスク基板表面近傍に到達したことをフォーカスエラー信号をもとに検出する第１の検出手段と、前記対物レンズによって収束されるレーザ光の収束位置が記録層表面近傍に到達したことをフォーカスエラー信号をもとに検出する第２の検出手段と、前記第１の検出手段によってレーザ光の収束位置がディスク基板表面近傍に到達したことが検出されたことに応じて光ディスクに照射するレーザ光を前記第２の波長のレーザ光から前記第１の波長のレーザ光に切り替えるレーザ設定手段と、前記第１の駆動手段にて前記対物レンズを前記フォーカスサーボ引き込み方向に駆動した後、前記第１の検出手段によって前記レーザ光の収束位置が前記ディスク基板表面近傍に到達したことが検出されたとき、前記対物レンズを駆動する手段を前記第１の駆動手段から前記第２の駆動手段に切り替える駆動制御手段と、前記駆動制御手段によって前記対物レンズを駆動する手段が前記第１の駆動手段から前記第２の駆動手段に切り替えられた後、前記第２の検出手段によって前記レーザ光の収束位置が前記記録層表面近傍に到達したことが検出されたとき、フォーカスサーボを作動させるフォーカスサーボ手段とを有することを特徴とする。
【００１０】
請求項３の発明は、請求項１に記載の光ディスク装置において、第１の速度で対物レンズをフォーカスサーボ引き込み方向に駆動する第１の駆動手段と、前記対物レンズを前記フォーカスサーボ引き込み方向に１ステップずつ駆動する第２の駆動手段と、前記対物レンズによって収束されるレーザ光の収束位置がディスク基板表面近傍に到達したことをフォーカスエラー信号をもとに検出する検出手段と、前記対物レンズによって収束されるレーザ光の収束位置が記録層表面近傍に到達したことをフォーカスエラー信号をもとに検出する第２の検出手段と、前記第１の検出手段によってレーザ光の収束位置がディスク基板表面近傍に到達したことが検出されたことに応じて光ディスクに照射するレーザ光を前記第２の波長のレーザ光から前記第１の波長のレーザ光に切り替えるレーザ設定手段と、前記第１の駆動手段にて前記対物レンズを前記フォーカスサーボ引き込み方向に駆動した後、前記検出手段によって前記レーザ光の収束位置が前記ディスク基板表面近傍に到達したことが検出されたとき、前記対物レンズを駆動する手段を前記第１の駆動手段から前記第２の駆動手段に切り替える駆動制御手段と、前記駆動制御手段によって前記対物レンズを駆動する手段が前記第１の駆動手段から前記第２の駆動手段に切り替えられた後、前記第２の検出手段によって前記レーザ光の収束位置が前記記録層表面近傍に到達したことが検出されたとき、フォーカスサーボを作動させるフォーカスサーボ手段とを有することを特徴とする。
【発明の効果】
【００１１】
本発明が上記ブルーレイディスク等の次世代ＤＶＤ（Digital Versatile Disc）とＣＤ（Compact Disc）やＤＶＤ等の他のディスクの互換型光ディスク装置に適用された場合、第１の波長のレーザ光は波長４０５ｎｍ程度の青色波長のレーザ光とされ、第２の波長のレーザ光は波長６５０ｎｍ程度の赤色波長のレーザ光あるいは波長７８０ｎｍ程度の赤外波長のレーザ光とされる。
【００１２】
この場合、本発明によれば、青色波長のレーザ光に対応する光ディスクが装着されたときは、青色波長のレーザ光ではなく、赤色あるいは赤外波長のレーザ光を用いてフォーカスサーボの引き込みが行われる。よって、フォーカスサーボ引き込み時に生じるフォーカスエラー信号の振幅を大きくすることができ、フォーカスエラー信号をもとにしたフォーカスサーボの引き込み動作を円滑に行うことができる。また、もともと装備されていた赤色あるいは赤外波長のビーム照射手段を青色波長ディスクに対するフォーカスサーボ引き込みに用いるのみであるから、他に特別な回路構成が必要となることもなく、構成の簡素化を図ることができる。
【００１３】
また、この場合、請求項２または３の発明によれば、赤色あるいは赤外波長などの他の波長のレーザ光を用いながら、レーザ光の収束位置がディスク基板表面に到達したことが検出されるため、かかる検出を確実に行うことができる。さらに、基板面検出後は、対物レンズの移動速度を遅くして、あるいは、対物レンズを１ステップずつ送りながら、記録層に対するオンフォーカス位置を検出するため、青色波長のレーザ光を用いても、オンフォーカス位置を見落とす恐れがなく、円滑にサーボ引き込みを行うことができる。
【００１４】
なお、これら発明に併せて、以下の発明も抽出することができる。
【００１５】
第１の速度で対物レンズをフォーカスサーボ引き込み方向に駆動する第１の駆動手段と、前記第１の速度よりも遅い第２の速度で前記対物レンズを前記フォーカスサーボ引き込み方向に駆動する第２の駆動手段と、前記対物レンズによって収束されるレーザ光の収束位置がディスク基板表面近傍に到達したことをフォーカスエラー信号をもとに検出する第１の検出手段と、前記対物レンズによって収束されるレーザ光の収束位置が記録層表面近傍に到達したことをフォーカスエラー信号をもとに検出する第２の検出手段と、前記第１の駆動手段にて前記対物レンズを前記フォーカスサーボ引き込み方向に駆動した後、前記第１の検出手段によって前記レーザ光の収束位置が前記ディスク基板表面近傍に到達したことが検出されたとき、前記対物レンズを駆動する手段を前記第１の駆動手段から前記第２の駆動手段に切り替える駆動制御手段と、前記駆動制御手段によって前記対物レンズを駆動する手段が前記第１の駆動手段から前記第２の駆動手段に切り替えられた後、前記第２の検出手段によって前記レーザ光の収束位置が前記記録層表面近傍に到達したことが検出されたとき、フォーカスサーボを作動させるフォーカスサーボ手段とを有することを特徴とする光ディスク装置。
【００１６】
第１の速度で対物レンズをフォーカスサーボ引き込み方向に駆動する第１の駆動手段と、前記対物レンズを前記フォーカスサーボ引き込み方向に１ステップずつ駆動する第２の駆動手段と、前記対物レンズによって収束されるレーザ光の収束位置がディスク基板表面近傍に到達したことをフォーカスエラー信号をもとに検出する検出手段と、前記対物レンズによって収束されるレーザ光の収束位置が記録層表面近傍に到達したことをフォーカスエラー信号をもとに検出する第２の検出手段と、前記第１の駆動手段にて前記対物レンズを前記フォーカスサーボ引き込み方向に駆動した後、前記検出手段によって前記レーザ光の収束位置が前記ディスク基板表面近傍に到達したことが検出されたとき、前記対物レンズを駆動する手段を前記第１の駆動手段から前記第２の駆動手段に切り替える駆動制御手段と、前記駆動制御手段によって前記対物レンズを駆動する手段が前記第１の駆動手段から前記第２の駆動手段に切り替えられた後、前記第２の検出手段によって前記レーザ光の収束位置が前記記録層表面近傍に到達したことが検出されたとき、フォーカスサーボを作動させるフォーカスサーボ手段とを有することを特徴とする光ディスク装置。
【００１７】
これらの発明によれば、レーザ光の照射位置がディスク基板表面に到達したタイミングにて対物レンズの移動が減速あるいはステップ送りに切り替えられるため、対物レンズをオンフォーカス位置に確実に引き込むことができるとの効果が奏される。すなわち、これらの発明は、青色波長のレーザ光を用いる場合に限らず、高開口数の対物レンズを用い、対物レンズと基板面の距離が小さい場合に適用して効果を発揮する。これらの発明は、将来、必要に応じてクレームアップ等がなされる可能性のあるものである。
【００１８】
本発明の特徴は、以下に示す実施の形態の説明により更に明らかとなろう。ただし、以下の実施の形態は、あくまでも、本発明の一つも例示であって、本発明ないし各構成要件の用語の意義は、以下の実施の形態に記載されたものに制限されるものではない。
【発明を実施するための最良の形態】
【００１９】
以下、本発明の実施の形態につき図面を参照して説明する。なお、本実施の形態では、青色／赤色／赤外波長のレーザ光を用いる、次世代ＤＶＤ／ＤＶＤ／ＣＤ対応の光ディスク装置が示されている。また、本実施の形態では、記録系の構成は省略し、再生系の構成のみが示されている。
【００２０】
図１に実施の形態に係る光ディスク装置の構成を示す。
【００２１】
図示の如く、光ディスク装置は、光ピックアップ１０と、信号生成回路２０と、ＡＣＴ（アクチュエータ）駆動回路３０と、ＬＤ（レーザダイオード）駆動回路４０と、モータ駆動回路５０と、スピンドルモータ６０と、コントロール回路７０を備えている。
【００２２】
光ピックアップ１０は、青色／赤色／赤外波長のレーザ光を出射する半導体レーザと、各波長のレーザ光を対物レンズに導く光学系と、対物レンズをフォーカス方向およびトラッキング方向に駆動する対物レンズアクチュエータと、ディスクからの反射光を受光して電気信号を出力する光検出器を備えている。光検出器は、ＲＦ信号、フォーカスエラー信号およびトラキングエラー信号等の各種信号を生成するためのセンサーパターンを有している。フォーカスエラーの検出手法として非点収差法が適用されている。
【００２３】
信号生成回路２０は、光ピックアップ１０内の光検出器から入力された電気信号を演算処理して、ＲＦ信号、フォーカスエラー信号およびトラキングエラー信号等の各種信号をコントロール回路７０に出力する。
【００２４】
ＡＣＴ駆動回路３０は、コントロール回路７０にて生成されたフォーカスサーボ信号およびトラッキングサーボ信号をもとに駆動信号を生成し、これらを、光ピックアップ１０内の対物レンズアクチュエータに出力する。
【００２５】
ＬＤ駆動回路４０は、コントロール回路７０から入力される制御信号に応じて、光ピックアップ１０内の半導体レーザを駆動し、光ピックアップ１０から青色（例えば波長：４０５ｎｍ程度）／赤色（例えば波長：６５０ｎｍ程度）／赤外（例えば波長：７８０ｎｍ程度）の何れかのレーザ光を出射させる。
【００２６】
モータ駆動回路５０は、コントロール回路７０から入力される制御信号に応じて、ディスク駆動用のスピンドルモータ６０を駆動し、ディスクを所定速度にて回転させる。
【００２７】
コントロール回路７０は、信号生成回路２０から入力されたＲＦ信号を処理して再生データを生成し後段回路に出力する。また、信号生成回路２０から入力されたフォーカスエラー信号およびトラッキングエラー信号を処理してフォーカスサーボ信号およびトラッキングサーボ信号を生成しＡＣＴ駆動回路３０に出力する。また、信号生成回路２０から入力されたウォブル信号を処理してモータサーボ信号を生成しモータ駆動回路５０に出力する。さらに、装着されたディスクに応じた波長のレーザ光を出射させる制御信号をＬＤ駆動回路４０に出力する。
【００２８】
この他、コントロール回路７０は、フォーカスサーボ引き込み時に、後述の制御フローに応じた制御信号をＡＣＴ駆動回路３０とＬＤ駆動回路４０に出力する。コントロール回路７０の詳細とフォーカスサーボ引き込み時の動作について、以下に説明する。
【００２９】
図２に、コントロール回路７０の構成を示す。なお、同図には、フォーカスサーボ引き込みに関連する構成が主として示されている。
【００３０】
コントロール回路７０は、データ再生回路７１、サーボ回路７２、フォーカスエラー検出回路７３、ＣＰＵ７４および第１、第２、第３発振回路７５ａ、７５ｂ、７５ｃを備えている。
【００３１】
データ再生回路７１は、信号生成回路２０から入力されるＲＦ信号を処理して再生データを生成出力する。サーボ回路７２は、信号生成回路２０から入力されるフォーカスエラー信号及びトラッキングエラー信号からサーボ信号を生成しＡＣＴ駆動回路３０に出力する。
【００３２】
フォーカスエラー検出回路７３は、信号生成回路２０から入力されるフォーカスエラー信号をもとに、レーザ光の収束位置がディスク基板表面および記録層表面に到達したことを検出し、検出結果をＣＰＵ７４に出力する。なお、フォーカスエラー検出回路７３における検出動作は追って詳述する。
【００３３】
ＣＰＵ７４は、フォーカスサーボ引き込み時に、サーボ回路７２、第１、第２、第３発振回路７５ａ、７５ｂ、７５ｃおよびＬＤ駆動回路４０に制御信号を出力する。なお、ＣＰＵ７４における処理の詳細は追って詳述する。
【００３４】
第１、第２、第３発振回路７５ａ、７５ｂ、７５ｃは、光ピックアップ１０内の対物レンズをディスク面（基板面）から離れた位置からディスク面方向に駆動するための信号をＡＣＴ駆動回路３０に出力する。第１、第２、第３発振回路７５ａ、７５ｂ、７５ｃによる対物レンズの駆動速度Ｖａ、Ｖｂ、Ｖｃは、Ｖｃ＞Ｖａ＞Ｖｂとなっている。フォーカスサーボ引き込み時に用いられる発振回路は、後述の如く、ＣＰＵ７４によって設定される。
【００３５】
図３は、フォーカスサーボ引き込み時における対物レンズの移動位置とフォーカスエラー信号の関係を示す図である。
【００３６】
同図（ａ）の状態から対物レンズが基板表面方向に近づき、レーザ光の収束位置が基板表面近傍に達すると、同図（ｂ）の真下部分に示すように、フォーカスエラー信号にＳカーブが現れる。このときのＳカーブは、基板表面における反射率が小さいため、記録層にフォーカスされる場合に比べ、振幅が小さくなる。この状態から対物レンズが基板表面方向に近づき、レーザ光の収束位置が記録層表面近傍に達すると、同図（ｃ）の真下部分に示すように、フォーカスエラー信号に再びＳカーブが現れる。フォーカスエラー検出回路７３は、かかるＳカーブをもとに、レーザ光の収束位置がディスク基板表面および記録層表面に到達したことを検出する。
【００３７】
図４は、フォーカスエラー検出回路７３におけるディスク基板表面および記録層表面の検出方法を説明する図である。
【００３８】
かかる検出では、フォーカスエラー信号が、記録層表面検出用のレベル１（＋）およびレベル１（−）と、基板表面検出用のレベル２（＋）およびレベル２（−）と比較される。ここで、基板表面検出用のレベル２（＋）およびレベル２（−）は、レーザ光の収束位置が基板表面近傍に達したときにフォーカスエラー信号に現れるＳカーブのピークよりもゼロレベル側に所定レベルだけシフトしたレベルとされる。また、記録層表面検出用のレベル１（＋）およびレベル１（−）は、レーザ光の収束位置が記録層表面近傍に達したときにフォーカスエラー信号に現れるＳカーブのピークよりもゼロレベル側に所定レベルだけシフトしたレベルとされる。
【００３９】
ディスク基板表面および記録層表面の検出時には、各レベルとフォーカスエラー信号の関係から、同図下段に示すようなウインドウ信号が生成される。そして、たとえば、このウインドウ信号の期間内においてフォーカスエラー信号がゼロクロスするタイミング（オンフォーカスタイミング）をもって、レーザ光の収束位置がディスク基板表面および記録層表面近傍に到達したとして検出される。この他、ウインドウ信号が立ち上がったタイミングをもって、レーザ光の収束位置がディスク基板表面および記録層表面近傍に到達したとして検出するようにしても良い。
【００４０】
なお、図３および図４に示されたフォーカスエラー信号は、同一波長のレーザ光が同一強度にてディスクに照射され続けていることを想定したものであるが、本実施の形態では、以下のフローチャートに示す如く、青色波長に対応した光ディスクが装着された場合には、レーザ光の収束位置が基板表面に到達するまでは、青色波長のレーザ光の代わりに赤色または赤外波長のレーザ光を用いてフォーカスサーボの引き込みが行われ、その後、レーザ光が青色波長のレーザ光に切り替えられる。したがって、図３および図４において、基板表面にオンフォーカスするときのＳカーブの振幅は、記録層表面にオンフォーカスするときのＳカーブ程度まで引き上げられる。よって、青色波長に対応するディスクが装着された場合にも、かかるＳカーブをもって基板表面に対するオンフォーカスタイミングを円滑に検出できるようになる。この場合、図４のレベル２（＋）およびレベル２（−）は、かかるＳカーブに応じたものとされ、レベル１（＋）およびレベル１（−）にかなり接近する。なお、この場合、赤色または赤外波長のレーザ光の強度を通常時よりも大きくし、より確実に基板表面を検出できるようにしても良い。
【００４１】
図５は、フォーカスサーボ引き込み時の処理フローチャートである。
【００４２】
フォーカスサーボ引き込み処理が開始されると、まず、装着されたディスクが青色／赤色／赤外のうちどの波長のレーザ光に対応するものであるかが判別される（Ｓ１０１）。かかる判別は、ディスクがカートリッジに収納された状態で装着される場合には、カートリッジに配されたディスク種別検出用の孔等を検出することにより行われる。あるいは、ディスクに所定波長のレーザ光を照射して、その反射光から、そのディスクの反射率を検出することにより行われる。なお、青色波長に対応するディスクの反射率は、青色レーザ、赤色レーザおよび赤外レーザの何れを用いても、赤・赤外の波長に対応するディスクよりも反射率が低い。よって、上記のように所定波長のレーザ光を照射したときの反射率を検出することにより、装着されたディスクが青色波長に対応するものか、赤色または赤外波長に対応するものかを判別することができる。
【００４３】
かかる判別において、装着されたディスクが青色波長に対応するもの（次世代ＤＶＤ）でると判別されれば（Ｓ１０２：ＹＥＳ）、まず、赤または赤外波長の半導体レーザが点灯される（Ｓ１０３）。そして、対物レンズを駆動するための発振回路として第１発振回路７５ａが選択され（Ｓ１０４）、対物レンズをディスク面方向に速度Ｖａで駆動しながら、フォーカスサーチが実行される（Ｓ１０５）。
【００４４】
かかるサーチ動作において、フォーカスエラー検出回路７３によって、レーザ光の収束位置が基板表面に達したことが検出されると（Ｓ１０６）、そのときのフォーカス駆動電圧がホールドされ（Ｓ１０７）、対物レンズの移動が停止される。そして、Ｓ１０３で点灯された半導体レーザに代わって青色波長の半導体レーザが点灯され（Ｓ１０８）、さらに、対物レンズを駆動するための発振回路が第２発振回路７５ｂに切り替えられる（Ｓ１０９）。これにより、対物レンズがＳ１０７における停止位置からディスク面方向に速度Ｖｂ（Ｖｂ＜Ｖａ）で駆動され、フォーカスサーチが実行される（Ｓ１１０）。
【００４５】
かかるサーチ動作において、フォーカスエラー検出回路７３によって、レーザ光の収束位置が記録層表面に達したことが検出されると（Ｓ１１１）、発振回路によるフォーカスサーチが終了され、フォーカスサーボが作動される（Ｓ１１２）。これにより、対物レンズがオンフォーカス位置に引き込まれ、以後、記録／再生動作が終了するまで、対物レンズがオンフォーカス位置を追従する。
【００４６】
なお、Ｓ１０２にて、装着されたディスクが赤色あるいは赤外波長に対応するレーザ光であると判別された場合には、ディスクに対応する波長のレーザ光を発光させながら、第３発振回路７５ｃを用いてフォーカスサーボの引き込みが行われる。よって、この場合には、最も早いＶｃにて対物レンズが移動されつつフォーカスサーボの引き込みが行われる。
【００４７】
なお、この場合にも、第３発振回路７５ｃを用いずに、上記と同様、第１発振回路７５ａと第２発振回路７５ｂを基板面へのオンフォーカスに応じて切り替えてフォーカスサーボの引き込みを行うようにしても良い。このようにすると、対物レンズがブルーレイディスクに応じた高開口数を有するものである場合にも、青色波長以外の波長のレーザ光に対するフォーカスサーボの引き込みを円滑に行うことができる。
【００４８】
図６は、フォーカスサーボ引き込み時の他の処理フローチャートである。
【００４９】
本フローチャートでは、図５の処理フローチャートのＳ１０９、Ｓ１１０がＳ１２０に変更されている。すなわち、上記では、レーザ光の収束位置が基板表面に達したことが検出されたことに応じて対物レンズを駆動速度が低速化されたが、本フローチャートでは、レーザ光の収束位置が基板表面に達したことが検出されたことに応じて対物レンズが基板面方向に１ステップずつ送られる（Ｓ１２０）。そして、ステップ送り毎に、フォーカスエラー検出回路７３によって、レーザ光の収束位置が記録層表面に達したかが判別され（Ｓ１１１）、達したと判別されたタイミングにて、対物レンズのステップ送りが終了され、フォーカスサーボが作動される（Ｓ１１２）。
【００５０】
なお、図６の処理フローチャートに従う場合、図２に示す構成から第２発振回路７５ｂが省略される。代わりに、ＣＰＵ７４から対物レンズをステップ送りするための制御信号がＡＣＴ駆動回路３０に出力される。
【００５１】
これらの実施の形態によれば、青色波長に対応するディスクが装着された場合に、赤色あるいは赤外波長などの他の波長のレーザ光を用いながら、レーザ光の収束位置がディスク基板表面に到達したことが検出されるため、フォーカスエラー信号のＳカーブの振幅を大きくすることができ、よって、ディスク基板面の検出を確実に行うことができる。さらに、基板面を検出した後は、対物レンズの移動速度を遅くして（図５）、あるいは、対物レンズを１ステップずつ送りながら（図６）、記録層に対するオンフォーカス位置を検出するため、青色波長のレーザ光を用いても、オンフォーカス位置を見落とす恐れがなく、円滑にサーボ引き込みを行うことができる。
【００５２】
以上、本発明の実施形態について説明したが、本発明はかかる実施の形態に限定されるものではなく、他に種々の変更が可能である。たとえば、上記実施の形態では、次世代ＤＶＤ／ＤＶＤ／ＣＤの互換型光ディスク装置を例示したが、次世代ＤＶＤ／ＤＶＤあるいは次世代ＤＶＤ／ＣＤの互換型光ディスク装置に本発明を適用することもでき、他の組み合わせに応じた光ディスク装置に適用することもできる。
【００５３】
本発明の実施の形態は、特許請求の範囲に示された技術的思想の範囲内において、適宜、種々の変更が可能である。
【図面の簡単な説明】
【００５４】
【図１】実施の形態に係る光ディスク装置の構成を示す図
【図２】実施の形態に係るコントロール回路の構成を示す図
【図３】実施の形態に係るフォーカスサーボ引き込み時における対物レンズの移動位置とフォーカスエラー信号の関係を示す図
【図４】実施の形態に係るレーザ光の収束位置がディスク基板表面および記録層表面に到達したことを検出する方法を説明する図
【図５】実施の形態に係るフォーカスサーボ引き込み時の処理フローチャート
【図６】他の実施の形態に係るフォーカスサーボ引き込み時の処理フローチャート
【符号の説明】
【００５５】
７０    コントロール回路
７２    サーボ回路
７３    フォーカスエラー検出回路
７４    ＣＰＵ
７５ａ  第１発振回路
７５ｂ  第２発振回路
７５ｃ  第３発振回路
【図１】
2006309837.tif 000003
【図２】
2006309837.tif 000004
【図３】
2006309837.tif 000005
【図４】
2006309837.tif 000006
【図５】
2006309837.tif 000007
【図６】
2006309837.tif 000008